(57)【特許請求の範囲】
【請求項１】
打面を囲むフレームと、把持するためのグリップとを有するラケットであって、
前記グリップの、
前記打面側の先端とは反対側にある後端の外形と、
前記グリップの、
前記後端から、
前記先端及び前記後端間の中央位置と前記先端の間の中央まで、
の間における所定位置における断面の外形とが、
互いに相似形でなく、
前記所定位置は、前記グリップの、
前記中央位置から、
前記中央位置と前記先端の間の中央まで、
の間に位置し、
前記後端の外形は、前記打面に垂直な方向から見たときの長さに対する前記打面に平行な方向から見たときの長さの割合を示す長さ比が、ある比の八角形であり、
前記所定位置における断面の外形は、前記長さ比が、他の比の八角形であり、
前記所定位置における断面の外形の前記長さ比よりも、前記後端の外形の長さ比の方が１に近くなるように形成されており、
前記グリップは、前記中央位置よりも前記後端側のある位置から、前記中央位置よりも前記先端側の他の位置にかけて、先細りとなるように形成された部分を含み、
前記打面に平行な方向から見て、前記グリップは、前記打面側の先端とは反対側にある後端から、前記先端及び前記後端間の中央位置と前記先端の間の中央にかけて、ある傾斜角度にて先細りとなっており、
前記打面に垂直な方向から見て、前記グリップは、前記打面側の先端とは反対側にある後端から、前記先端及び前記後端間の中央位置と前記先端の間の中央にかけて、他のある傾斜角度にて先細りとなっており、
前記グリップの前記打面に平行な方向から見たときの前記ある傾斜角度は、前記打面に垂直な方向から見たときの前記他のある傾斜角度よりも大きい
ことを特徴とするラケット。
【発明の詳細な説明】
【技術分野】
【０００１】
本発明は、ラケットに関し、特に、打面を囲むフレームと、把持するためのグリップとを有するラケットに関する。
【背景技術】
【０００２】
ラケットは、ソフトテニス、硬式テニス、スカッシュ、バドミントンなどの競技で用いられている。ラケットは、フレームと、フレームに装着されたグリップとを有している。
【０００３】
フレームは、ボールやシャトルコックを打つための打面を囲む略円形のヘッド部と、ヘッド部から延出するシャフト部とから構成されており、このシャフト部にグリップが装着される。グリップは、プレーヤー（ユーザー）がラケットを把持する部分である。
【０００４】
ソフトテニスでは、弾力性に富むゴム製のボールを用いている。このようなボールは、ラケットの打球面に衝突した際の衝撃力を吸収してしまうので、プレーヤーは、ボールを力強く打つためにラケットのグリップを力強く把持する必要がある。そのため、ソフトテニス用ラケットのグリップは、一般的には、その長手方向に垂直な方向の断面の外形がほぼ正八角形となるように成形されている（例えば、特許文献１参照。）。
【特許文献１】実開平０５−０１１９６８号公報（図２，段落００２０）
【発明の開示】
【発明が解決しようとする課題】
【０００５】
上記目的を達成するために、本発明のラケットは、打面を囲むフレームと、把持するためのグリップとを有するラケットであって、前記グリップの、前記打面側の先端とは反対側にある後端の外形と、前記グリップの、前記後端から、前記先端及び前記後端間の中央位置と前記先端の間の中央まで、の間における所定位置における断面の外形とが、互いに相似形でなく、
前記所定位置は、前記グリップの、
前記中央位置から、
前記中央位置と前記先端の間の中央まで、
の間に位置し、
前記後端の外形は、前記打面に垂直な方向から見たときの長さに対する前記打面に平行な方向から見たときの長さの割合を示す長さ比が、ある比の八角形であり、
前記所定位置における断面の外形は、前記長さ比が、他の比の八角形であり、
前記所定位置における断面の外形の前記長さ比よりも、前記後端の外形の長さ比の方が１に近くなるように形成されており、
前記グリップは、前記中央位置よりも前記後端側のある位置から、前記中央位置よりも前記先端側の他の位置にかけて、先細りとなるように形成された部分を含み、
前記打面に平行な方向から見て、前記グリップは、前記打面側の先端とは反対側にある後端から、前記先端及び前記後端間の中央位置と前記先端の間の中央にかけて、ある傾斜角度にて先細りとなっており、
前記打面に垂直な方向から見て、前記グリップは、前記打面側の先端とは反対側にある後端から、前記先端及び前記後端間の中央位置と前記先端の間の中央にかけて、他のある傾斜角度にて先細りとなっており、
前記グリップの前記打面に平行な方向から見たときの前記ある傾斜角度は、前記打面に垂直な方向から見たときの前記他のある傾斜角度よりも大きい
ことを特徴とする。
【０００６】
しかし、断面の外形がほぼ正八角形であるようなグリップでは、グリップの側面の面配置が均一であるために、プレーヤーは、グリップチェンジのためにグリップを回転させるとラケットの打面の向きが分からなくなる。このため、プレーヤーは、グリップチェンジの度にラケットの打面の向きを視認する必要があり、結果として、プレーヤーは、迅速なグリップチェンジを行うことができない。したがって、グリップの側面の面配置が均一なラケットでは、グリップチェンジの容易性が低い。
【０００７】
本発明は、上記のような課題に鑑みてなされたものであって、その目的は、グリップチェンジの容易性を向上させることができるラケットを提供することにある。
【課題を解決するための手段】
【０００８】
上記目的を達成するために、本発明のラケットは、打面を囲むフレームと、把持するためのグリップとを有するラケットであって、前記グリップの、前記打面側の先端とは反対側にある後端の外形と、前記グリップの、前記後端から、前記先端及び前記後端間の中央位置と前記先端の間の中央まで、の間における所定位置における断面の外形とが、互いに相似形でないことを特徴とする。
【０００９】
本発明のラケットによれば、グリップの後端の外形とグリップの上記所定位置における断面の外形が異なる。これにより、プレーヤー（ユーザー）は外形の違いから打面の向きを把握することが可能となる。したがって、ラケットの打面の向きを視認する必要がなくなり、グリップチェンジの容易性が向上する。
【発明の効果】
【００１５】
本発明のラケットによれば、グリップチェンジの容易性を向上させることができる。
【発明を実施するための最良の形態】
【００１６】
以下、本発明の実施の形態について、図面を参照しながら説明する。
図１は、本発明の実施の形態に係るラケットの構成の一例を概略的に示す図であり、図１（ａ）は、ラケットの打球面に垂直な方向から見たときの平面図であり、図１（ｂ）はラケットの打球面に水平な方向から見たときの側面図である。
【００１７】
図１に示すラケット１は、ソフトテニス用のラケットであり、フレーム１０と、フレーム１０に装着されたグリップ１００とを有する。なお、ソフトテニスは、弾力性に富むゴム製のボールを打つ競技である。
【００１８】
図１（ｂ）に示すように、フレーム１０及びグリップ１００は１つの水平面上に配置されており、ラケット１は、グリップ１００の軸方向に長い。ラケット１の長手方向の長さ（全長）は、約７００ｍｍである。グリップ１００は、ソフトテニスを行うプレーヤー（ユーザー）がラケット１を把持する部分に該当し、軸方向の長さ（全長）は、約１８０ｍｍである。
【００１９】
フレーム１０は、金型を用いて成形された一部材からなる樹脂成形体であり、図１（ａ）に示すように、略円形に成形されたヘッド部１１と、ヘッド部１１から延出するシャフト部１２とを有する。
【００２０】
ヘッド部１１には、ストリング（ガット）が縦方向及び横方向に張設され（図示せず）、これにより、水平面をなす略円形の打球面２０が形成される。つまり、ヘッド部１１は、打球面２０を囲むためのフレームである。
【００２１】
シャフト部１２は、グリップ１００が装着される側が１本の棒状部分となっており、また、ヘッド部１１側が二股に分岐した分岐部分となっている（オープンスロート）。シャフト部１２に分岐部分を設けることにより、ヘッド部１１が２点で支持されるので、打球面２０にボールが衝突したときにヘッド部１１に生じる振動（面ぶれ）が抑制される。なお、プレーヤーは、ボレーやカットショットを放つ際に、シャフト部１２の棒状部分を把持する場合がある。このようなプレーヤーのために、シャフト部１２の棒状部分の長さをある程度確保することが好ましい。
【００２２】
なお、シャフト部１２の形状は、上述したものに限られることはない。例えば、シャフト部１２は、全体的に１本の棒状となっているもの（オープンスロートとなっていないもの）であってもよいし、グリップ１００が装着される側から二股に分岐した形状のものであってもよい。
【００２３】
また、図１に示すように、グリップ１００は、グリップベース１１０と、エンドキャップ１５０と、グリップテープ１６０とから構成されている。
【００２４】
グリップベース１１０は、例えばウレタン樹脂を成形した樹脂成形体で構成されており、シャフト部１２に装着される。具体的には、シャフト部１２がグリップベース１１０の先端にある頂面１１１から突出した状態でグリップベース１１０が装着される（図２参照）。グリップベース１１０の断面の外形は、略八角形である（図２〜図４参照）。
【００２５】
エンドキャップ１５０は、グリップベース１１０の先端とは反対側にある末端、つまり底面１１２を覆うためのキャップである。グリップテープ１６０は、例えば幅２５ｍｍの帯状に成形されたポリウレタン樹脂の一面に粘着材を付着させたものであり、エンドキャップ１５０及びグリップベース１１０の周囲に図１に示すように巻回される。
【００２６】
図２は、図１におけるグリップ１００のグリップベース１１０の外観を示す図であり、図２（ａ）は、図１のラケット１の打球面２０に垂直な方向（図１（ａ）と同じ方向）から見た平面図であり、図２（ｂ）は、図１のラケット１の打球面２０に水平な方向（図１（ｂ）と同じ方向）から見たときの側面図である。図３は、グリップベース１１０の底面１１２の外形を示す底面図である。
【００２７】
グリップベース１１０の断面の外形は、上述したように略八角形であり、また、底面１１２の外形は、図３に示すように、各辺の長さが（例えば３１ｍｍで）等しい正八角形である。したがって、グリップベース１１０は、８つの側面１２１〜１２８を有する（図２，図３参照）。８つの側面１２１〜１２８は、互いに略平行な１組の面が４組で構成される。８つの側面１２１〜１２８のうち、互いに略平行な１組の側面１２１，１２５は、ヘッド部分１１がなす水平面、つまり打球面２０に略平行である（図２，図３参照）。
【００２８】
図２に示すように、グリップベース１１０は、底面１１２から頂面１１１にかけて側部が先細り（テーパ）となるテーパ形状をなしており、本実施の形態では、テーパ面である側面１２１〜１２８の各々が平ら（フラット）であり、底面１１２から頂面１１１にかけて外形が徐々に変化する。
【００２９】
ここで、グリップベース１１０のテーパ面の角度について説明する。
図２（ａ）に示す傾斜角度θ1は、グリップベース１１０のテーパ面の１つである側面１２７が、底面１１２に垂直な平面との間でなす傾斜角度（グリップ１００を打球面２０に垂直な方向から見たときの傾斜角度）を示しており、大きさは、例えば０．６°である。他の側面１２２〜１２４，１２６，１２８の傾斜角度の大きさも側面１２７の傾斜角度θ1の大きさに等しい。
【００３０】
図２（ｂ）に示す傾斜角度θ2は、グリップベース１１０のテーパ面の１つである側面１２１が、底面１１２に垂直な平面との間でなす傾斜角度（グリップ１００を打球面２０に水平な方向から見たときの傾斜角度）を示しており、大きさは、例えば１．２°である。もう一方の側面１２５の傾斜角度の大きさも側面１２１の傾斜角度θ2の大きさに等しい。ここで、上述したように、側面１２１，１２５は、打球面２０に略平行である。
【００３１】
このように、傾斜角度θ1，θ2の大きさは互いに異なり、打球面２０に略平行な側面１２１，１２５の傾斜角度θ2の大きさが、傾斜角度θ1の大きさよりも大きくなるように設定されている。このようにテーパ面の傾斜角度を変えることで、グリップ１１０において打球面２０を容易に把握しやすい面（後述する打球面把握領域）を簡単に形成することができる。
【００３２】
また、図２に示すように、側面１２１の表面積は、側面１２３の表面積よりも大きい。
この表面積の違いについて説明する。側面１２１の表面積と側面１２３の表面積は、グリップ１１０の中央位置（図２における線IV−IVに対応する位置）よりも底面１１２側の後端部分（以下、「グリップエンド」という）ではさほど変わらないが、中央位置を含む頂面１１１側では大きな違いが見られる。特に、側面１２１のハッチング領域１２１ａ（以下、「打球面把握領域」という）の広さは、側面１２３の対応部分よりも広い。なお、同様の打球面把握領域は、側面１２５にも形成される。
【００３３】
図４は、図２におけるグリップのグリップベース１１０の中央位置における断面の外形を示す断面図であり、図２（ａ），（ｂ）における線IV−IVに沿う断面図である。なお、図４には、図３に示すグリップベース１１０の底面１１２の外形に沿う外形線１１２ａも示されている。
【００３４】
図４に示す断面１３０は、図２（ａ），（ｂ）における線IV−IVを含む平面に形成されるグリップベース１１０の断面である。図２（ａ），（ｂ）における線IV−IVは、グリップベース１１０の頂面１１１及び底面１１２の間のちょうど中間の位置（以下、「中央位置」という）に該当する。このため、図４に示す断面１３０を、本明細書では、以下、「中央断面１３０」という。
【００３５】
図４に示すように、中央断面１３０の中央、即ちグリップベース１１０の内側には、孔が形成されており、この孔にシャフト部１２が配置される。
【００３６】
また、図４に示すように、中央断面１３０の外形線１３０ａに囲まれた領域の面積は、外形線１１２ａに囲まれた領域の面積（底面１１２の表面積）よりも小さい。これは、図２を用いて説明したように、グリップベース１１０がテーパ形状をなしているためである。
【００３７】
また、図４に示すように、中央断面１３０の外形は、八角形である。中央断面１３０の外形線１３０ａは、グリップベース１１０の８つの側面１２１〜１２８のそれぞれに対応する８つの辺１３１〜１３８を有する。８つの辺１３１〜１３８は、互いに略平行な１対の辺が４組で構成される。８つの辺１３１〜１３８のうち、互いに略平行な１対の辺１３１，１３５は、打球面２０に平行である。
【００３８】
ただし、中央断面１３０の外形は、正八角形ではなく、図４に示すように、各辺の長さが他の辺の長さと異なる扁平八角形となっている。したがって、中央断面１３０の外形（扁平八角形）と、底面１１２の外形（正八角形）とが互いに相似形となっていない。これは、図２を用いて説明したように、グリップベース１１０のテーパ面がなす傾斜角度θ1，θ2が異なるためである。
【００３９】
より具体的には、辺１３１，１３５が最も長く、次いで、辺１３３，１３７が長く、辺１３２，１３４，１３６，１３８が最も短い。なお、このような傾向は、頂面１１１に近づくほど大きくなり、グリップベース１１０の断面の外形である扁平八角形は、頂面１１１に近いほど、シャフト部１２の断面の外形である長方形に近い扁平八角形となる（図２参照）。逆に、底面１１２に近いほど、扁平八角形は、底面１１２の外形である正八角形に近くなる。
【００４０】
また、中央断面１３０の外形（扁平八角形）と、底面１１２の外形（正八角形）とが互いに相似形となっていないため、図４に示すように、中央断面１３０の外形の扁平率は、底面１１２の扁平率と異なり、底面１１２の扁平率の方が中央断面１３０の外形の扁平率よりも大きい。本実施の形態では、底面１１２の扁平率の値が１．００であり、中央断面１３０の外形の扁平率の値が例えば０．９３である。なお、扁平率とは、打球面２０に垂直な方向から見たときの長さ（横幅）に対する、打球面２０に水平な方向から見たときの長さ（縦幅）の割合（縦幅／横幅）を示す長さ比、すなわち縦横比をいう。
【００４１】
なお、図４では、中央断面１３０について説明したが、本実施の形態では、底面１１２から頂面１１１にかけてグリップ１００の側面にテーパ面が形成されているので、他の断面においても図４を用いて説明した内容と同様のことが云える。例えば、底面１１２と中央位置の間の任意の位置における断面も扁平八角形となっており、底面１１２の外形（正八角形）の相似形となっていない。同様に、中央位置と頂面１１１の間の任意の位置、例えば中央位置と頂面１１１間のちょうど中間の位置（以下、「３／４位置」という）も底面１１２の外形（正八角形）の相似形となっていない。
【００４２】
図１乃至図４を用いて説明したように、本実施の形態に係るラケット１によれば、グリップベース１１０の底面１１２の外形が正八角形であり、そのグリップベース１１０には、中央断面１３０などの外形が扁平八角形となるように、傾斜角度（θ1，θ2）が異なる２種類のテーパ面が形成されている。つまり、グリップ１００の断面がなす形状は、グリップエンドでは正八角形又は略正八角形であったものが、頂面１１１側に向かうにつれて徐々に扁平八角形となって相似形ではなくなる。
【００４３】
このため、本実施の形態に係るラケット１のグリップベース１１０は、従来のソフトテニス用ラケットのグリップの外形（正八角形）及び側面の均一な面配置がほぼ維持された部分（扁平率の値が１に等しいか又は１に近い部分）をグリップエンドに含み、従来のソフトテニス用ラケットのグリップの外形とは相似形ではない外形（扁平八角形）を持つ部分（扁平率の値がグリップエンドの扁平率の値よりも小さい部分）をグリップエンドよりも先端側に含むことになる。
【００４４】
したがって、プレーヤーは、グリップ１００のグリップエンド（底面１１２側の側面）を従来のソフトテニス用ラケットと変わらずに（大きな違和感なく）力強く把持することができる。
【００４５】
さらに、グリップ１００のグリップエンドよりも先端側ではグリップベース１１０の外形が扁平八角形となっているので、プレーヤーは、グリップ１００を把持する際に、手が打球面把握領域に接触する（又は接触させる）だけで、扁平八角形において長さが最も長い辺１３１，１３５を含む側面１２１，１２５を外形や表面積の違いから触感で容易に把握することができる。
【００４６】
なお、プレーヤーは、グリップ１００を把持する際に、グリップエンドを把持するのが通常であるが、このとき、プレーヤーの手（例えば、手の一部である人差し指や親指、掌）は、グリップ１００の中央位置に接触するのが一般的である（図５参照）。この中央位置は打球面把握領域内にあるため、プレーヤーがグリップエンドを把持しても、上記効果を奏することができる。グリップエンドを把持する人の手が大きい場合や、グリップ１００の中央位置を把持する人の場合でも、プレーヤーの手は、グリップ１００の上記３／４位置に接触する。これらを考慮して、打球面把握領域がグリップベース１１０の中央位置と３／４位置の双方を含むようにテーパ面が形成されている。
【００４７】
ここで、プレーヤーは、上記側面１２１，１２５（又は辺１３１，１３５の長さ）と打球面２０との関係（本実施形態では、最も長い辺１３１，１３５を含む側面１２１，１２５と打球面２０とが略平行であること）を予め把握しておくことで、グリップチェンジの際に打球面２０の向きを正確に把握することができる。このため、打球面２０の向きを視認する必要をなくすことができるので、ソフトテニスの競技中に迅速なグリップチェンジを行うことが可能となる。この結果、グリップチェンジの容易性が向上する。
【００４８】
まとめると、本実施の形態に係るラケット１は、グリップ１００が上記構成（形状）をとっているため、グリップチェンジの容易性が高い。
【００４９】
次に、本実施の形態に係るラケット１を用いたグリップチェンジについて、図５を用いて説明する。
図５は、図１のラケット１を把持したときの状態を示す斜視図であり、図５（ａ）は、把持方法としてウエスタングリップを採用した場合を示し、図５（ｂ）は、把持方法としてイースタングリップを採用した場合を示す。
【００５０】
図５（ａ）に示すウエスタングリップは、打球面２０の向きとプレーヤーの腕の軸の方向が略垂直となる把持方法であり、ソフトテニスでは一般的な把持方法である。プレーヤーは、把持方法としてウエスタングリップを採用することで、いわゆる「厚い握り」でグリップエンドを力強く把持することができる。これにより、弾性力のあるボールに対してグラウンドストロークなどのショットを安定的に力強く放つことができる。
【００５１】
図５（ｂ）に示すイースタングリップは、打球面２０の向きとプレーヤーの腕の軸の方向が略平行となる把持方法であり、ソフトテニスよりも弾力性の低いボールを打つ競技である硬式テニスでは一般的な把持方法である。このイースタングリップでは、打球面２０を意識しやすくなるので、ボールをコントロールしやすくなる。そのため、サーブやスマッシュショットを放つのに適している。イースタングリップは、ソフトテニスの競技中にウエスタングリップから一時的にグリップチェンジするときの把持方法として採用される場合が多い。
【００５２】
上述したように、ウエスタングリップもイースタングリップも、打球面２０の向きを把握することが重要となる。特に、競技中のグリップチェンジの際には、プレーヤーは、高速で移動するボールを視認しながら、打球面２０の向きを把握する必要がある。
【００５３】
そこで、競技に用いるラケットとして、本実施の形態に係るラケット１を用いることにより、打球面２０を視認することなく触感によって側面１２１や側面１２５の位置、ひいては打球面２０の向きを容易に把握することができる。具体的には、プレーヤーは、グリップエンドよりも上方で接触している手の一部（人差し指、親指、及び掌）の触感により、図２（ａ）に示したような側面１２１や側面１２５の打球面把握領域を把握する。
【００５４】
なお、上述した説明では、把持方法として、ウエスタングリップ及びイースタングリップを例示した。しかし、打球面２０の向きを把握することは全ての把持方法において重要であるので、上述した説明は、いかなる把持方法に対しても適用することができる。
【００５５】
また、上述した実施の形態において、図２（ａ）に示す傾斜角度θ1の大きさは、例えば０．６°であるとしたが、０°であってもよい。つまり、側面１２１，１２５以外の部分にテーパ面を形成しなくてもよい。
【００５６】
さらには、図２（ｂ）に示す傾斜角度θ2の大きさは、例えば１．２°であるとしたが、１．２°に限られることはない。傾斜角度θ2の大きさは、０．８°〜１．５°の範囲内であることが好ましい。なお、傾斜角度θ2の大きさが０．８°を下回ると傾斜角度θ1の大きさとの差が小さくなり、打球面把握領域１２１ａの広さを十分に確保できなくなる。一方、傾斜角度θ2の大きさが１．５°を上回ると、グリップベース１１０の頂面１１１側の断面における外形が底面１１２の外形と大きく変わりすぎて、プレーヤーに違和感を生じさせることになる。
【００５７】
また、上述した実施の形態において、図２に示す例では、グリップベース１１０の頂面１１１側（先端側）に面取りが施されていないが、図６に示すように、シャフト１４の断面の外形（長方形）に合わせて面取りを施してもよい。なお、図６には、隣り合う面取り面のなす角部の外形線１４１，１４２と、側面１２１や側面１２３に形成された角部の外形線１４３，１４４が示されている。このような面取りを行うことにより、シャフト部１２とグリップベース１１０との間に形成される段差を小さくすることができる。
【００５８】
また、グリップベース１１０において、八角形の断面形状が実質的に維持できれば、隣り合う側面がなす角部に小さな面取りが施されていてもよい。
【００５９】
次に、第１〜第３参考例について、図面を用いて説明する。各参考例において、上述した実施の形態と同様の構成要素には、同一の符号を付し、それらの説明を省略する。
【００６０】
図７は、図１のラケット１が有するグリップ１００の第１参考例の外観を示す図であり、図７（ａ）は、ラケット１の打球面２０に垂直な方向から見た平面図であり、図７（ｂ）は、ラケット１の打球面２０に水平な方向から見たときの側面図である。
【００６１】
本参考例では、グリップベース１１０の長手方向における中央位置よりも底面１１２側のある位置から、中央位置よりも頂面１１１側の他の位置にテーパ面を形成する。
【００６２】
図７に示すように、本参考例に係るグリップ１００のグリップベース１１０には、図中の中央線ＣＬよりも底面１１２側の位置から互いに異なる２種類の傾斜角度（θ1’，θ2’）でテーパ面が形成されており、そのテーパ面は頂面１１１で終端している。
【００６３】
また、図７に示す例では、グリップ１００のグリップエンド（テーパ面が形成されていない部分）は、角柱形状をなしている。このため、テーパ面とグリップエンドの側面とが隣り合う角部１４５において、傾斜角度がグリップエンドに比べて大きく変わるようにプレーヤーには感じられることになる。これにより、プレーヤーは、テーパ面が形成されている部分を容易に把握することができる。この結果、プレーヤーは、グリップ１００において、打球面把握領域１２１ａが形成されているべき側面１２１の位置を、手の触感でより迅速に探し出すことができる。
【００６４】
なお、第１参考例では、テーパ面が頂面１１１の位置で終端するとしたが、頂面１１１よりも中央位置（中央線ＣＬ）側で終端してもよい。この場合、グリップベース１１０においてテーパ面が中央位置及び３／４位置を含むように形成されていることが好ましい。
【００６５】
図８は、図１のラケット１が有するグリップ１００の第２参考例の断面の外形を示す断面図である。なお、図８に示す断面は、図３に示す断面と大部分が一致している。
【００６６】
本参考例では、グリップベース１１０の側面１２１にのみ傾斜角度の大きい（傾斜角度θ2の）テーパ面が形成されている。
【００６７】
図８に示す例では、中央断面１３０の辺１３１が最も長い扁平八角形となっており、辺１３１と平行な辺１３５’の長さは、辺１３３及び辺１３７の長さに等しい。このような中央断面１３０を得るには、辺１３１を含む側面１２１がなす傾斜角度θ2が、図２（ｂ）に示した傾斜角度θ2に等しくなるように、且つ、辺１３５を含む側面１２５がなす傾斜角度が、図２（ａ）に示した傾斜角度θ1に等しくなるように傾斜角度を設定することで可能となる。すなわち、図８に示す例は、図２，図３に示した例において、１つのテーパ面（側面１２１）の傾斜角度だけが他のテーパ面の傾斜角度と異なる。
【００６８】
本参考例では、側面１２１が打球面２０と略平行であることのみが把握しやすいことになる。本参考例は、打球面２０の一方の面（例えば、おもて面）を主に使用するプレーヤーに好適である。
【００６９】
図９は、図１のラケット１が有するグリップ１００の第３参考例の外観を示す図であり、図９（ａ）は、ラケット１の打球面２０に垂直な方向から見た平面図であり、図９（ｂ）は、ラケット１の打球面２０に水平な方向から見たときの側面図である。
【００７０】
本参考例では、グリップベース１１０に中心線ＣＬよりも底面１１２側の位置から頂面１１１側の所定位置にかけて、先細りとは逆の（先太りの）テーパ面を形成する。テーパ面の形成の際、側面１２１，１２５の傾斜角度θ2（図９（ｂ））の大きさが、傾斜角度θ1（図９（ａ））の大きさよりも小さくなるように設定される。これにより、打球面２０に略平行な側面１２１，１２５において打球面把握領域を広く確保することができる。
【００７１】
図９に示すようにテーパ面を形成しても、第１参考例と同等の効果を奏することができる。つまり、本参考例でも、角部１４５において傾斜角度（θ1”，θ2”）がグリップエンドに比べて大きく変わることから、打球面把握領域１２１ａが形成されているべき側面１２１の位置を、手の触感でより迅速に探し出すことができる。
【００７２】
なお、上述した第１乃至第参考例において、テーパ面は、傾斜角度で規定可能なフラットな面であるが、これに代えて、曲率などで規定可能な曲面であってもよい。
【００７３】
また、上述した実施の形態及びその参考例に係るラケット１は、ソフトテニス用のものについて説明したが、本発明は、硬式テニス用ラケット、スカッシュ用ラケット、バドミントン用ラケットなどのラケットにも適用することができる。
【００７４】
例えば、硬式テニス用ラケットの場合、従来の一般的なグリップベースの断面の外形及び底面の外形は共に扁平八角形であるが、本発明を適用することにより、底面の外形が正八角形となるようにテーパ面を形成してもよい。この場合、側面形状は、図２に示したものと同様になる。これにより、硬式テニス用ラケットのグリップにおいても、グリップエンド側に側面の面配置が均一な状態をつくることができると共に、グリップエンドよりも頂面側においてグリップチェンジの容易性を確保することができる。
【００７５】
また、底面の外形が八角形である場合でも、各辺の長さが厳密に等しい（つまり扁平率が１．００である）必要はなく、各辺の長さは、他の辺と５ｍｍ程度までの範囲内で異なっていてもよい。
【図面の簡単な説明】
【００７６】
【図１】本発明の実施の形態に係るラケットの構成の一例を概略的に示す図であり、（ａ）は、ラケットの打球面に垂直な方向から見たときの平面図であり、（ｂ）はラケットの打球面に水平な方向から見たときの側面図である。
【図２】図１におけるグリップのグリップベースの外観を示す図であり、（ａ）は、打球面に垂直な方向から見た平面図であり、（ｂ）は、打球面に水平な方向から見たときの側面図である。
【図３】図２のグリップベースの底面の外形を示す底面図である。
【図４】図２におけるグリップのグリップベースの中央位置における断面の外形を示す断面図であり、図２（ａ），（ｂ）における線IV−IVに沿う断面図である
【図５】図１のラケットを把持したときの状態を示す斜視図であり、（ａ）は、ウエスタングリップの場合を示し、（ｂ）は、イースタングリップの場合を示す。
【図６】図２に示すグリップベースの頂面側に面取りを施した場合の側面図であり、（ａ）は、打球面に垂直な方向から見た平面図であり、（ｂ）は、打球面に水平な方向から見たときの側面図である。
【図７】図１のラケットが有するグリップの第１変形例の外観を示す図であり、（ａ）は、打球面に垂直な方向から見た平面図であり、（ｂ）は、打球面に水平な方向から見たときの側面図である。
【図８】図１のラケットが有するグリップの第２変形例の断面の外形を示す断面図である。
【図９】図１のラケットが有するグリップの第３変形例の外観を示す図であり、（ａ）は、打球面に垂直な方向から見た平面図であり、（ｂ）は、打球面に水平な方向から見たときの側面図である。
【符号の説明】
【００７７】
１  ラケット
１０  フレーム
１２  シャフト部
１００  グリップ
１１０  グリップベース
１１１  頂面
１１２  底面
１１２ａ，１３０ａ  外形線
１２１〜１２８  側面
１３０  中央断面
１３１〜１３８  辺
１５０  エンドキャップ
１６０  グリップテープ
【図１】
0005055056.tif 000002
【図２】
0005055056.tif 000003
【図３】
0005055056.tif 000004
【図４】
0005055056.tif 000005
【図５】
0005055056.tif 000006
【図６】
0005055056.tif 000007
【図７】
0005055056.tif 000008
【図８】
0005055056.tif 000009
【図９】
0005055056.tif 000010